(57)【要約】【課題】輪郭を絵の中に立体的に、しかも絵の具を大量に使用することなく表現できるようにし、輪郭を介して奥行き感や立体感、或いはモチーフのイメージを強調できるようにする。【解決手段】画板１に図柄輪郭線２を凸段差状に形成し、この図柄輪郭線２で仕切った平面部３を着色する。上記の図柄輪郭線２を画板１に貼り付ける屈曲自在の画材４で形成する。この屈曲自在の画材４を、上記の平面部３とは異なる色で着色する。【選択図】　　　図１
2004098476.tif 000002
【特許請求の範囲】
【請求項１】
画板に図柄輪郭線が凸段差状に形成され、この図柄輪郭線で仕切られた平面部が着色されている浮出し画材を用いた絵画において、上記の図柄輪郭線が画板に貼り付けられる屈曲自在の画材で形成され、この屈曲自在の画材が上記の平面部とは異なる色で着色されていることを特徴とする浮出し画材を用いた絵画。
【請求項２】
請求項１記載の浮出し画材を用いた絵画であって、屈曲自在の画材がワイヤであることを特徴とする浮出し画材を用いた絵画。
【請求項３】
画板に図柄輪郭線が凸段差状に形成され、この図柄輪郭線で仕切られた平面部が着色されている浮出し画材を用いた絵画において、上記の図柄輪郭線が画板に付着される合成樹脂材で形成され、この合成樹脂材が上記の平面部とは異なる色で着色されていることを特徴とする浮出し画材を用いた絵画。
【発明の詳細な説明】
【０００１】
【発明の属する技術分野】
本発明は、絵画に関し、更に詳しくは絵の具とは別の画材を利用して画面に凹凸を付け、絵の具だけでは表現し切れない立体感や装飾性を発揮させることができるよう形成した浮出し画材を用いた絵画に関するものである。
【０００２】
【従来の技術】
従来この種の絵画の技法としては、例えば基材に、印刷等の手段で輪郭を浮き出すように形成し、輪郭で仕切られた内部を着色するものが知られている（例えば特許文献１参照）。
又従来この種の絵画としては、洋紙等の基材に所定の模様の輪郭を描き、この模様の輪郭内にプラスチック画材などを輪郭に沿って取り付けるものが知られている（例えば特許文献２参照）。
【０００３】
【特許文献１】
特開２００１ー３９０９５号公報（第１頁、図１）
【特許文献２】
実開昭５６ー１９３９６号公報（第１頁、第１図）
【０００４】
【発明が解決しようとする課題】
しかしながら特許文献１記載の従来技術は、上記の通り、輪郭を印刷や転写シート等で凸状に形成するものであり、本来この従来技術は輪郭で絵の具が隣りにはみ出すことを阻止し、転写によりイラスト図画の描出を省略し、絵の苦手な人や子供でも綺麗なイラストを描くことができるようにするものであった。即ち、この従来技術の場合は、輪郭は単に塗り分けを手助けするだけであり、塗り分けを綺麗にするために輪郭を凸状に浮き立たせているのに過ぎず、そのため輪郭の突出の程度は絵の具の移行を阻止できる程度とされ、又輪郭からはみ出さないよう心掛けて塗ることが肝要であり、輪郭に絵の具がついた場合は拭き取って除去するものであった（特許文献１の段落番号０００９、００１０参照）。従ってこれによると、輪郭を絵の要素として強調したり、特徴づけることができなかった。
【０００５】
又特許文献２記載の従来例は、単に輪郭に沿ってプラスチック画材などを取り付けるものであった。従ってこの場合は、蝶など特定のモチーフについては適しても、特許文献１と同様、輪郭を強調するものではなく、輪郭を介して絵に立体感や奥行き感を出させることができず、模様や色分けを看者に印象付けることができなかった。
【０００６】
本発明は、このような従来の問題点に鑑み、提案されたものである。
従って本発明の技術的課題は、輪郭を絵の中に立体的に、しかも絵の具を大量に使用することなく表現できるようにし、輪郭を介して奥行き感や立体感、或いはモチーフのイメージを強調できるよう形成した浮出し画材を用いた絵画を提供することにある。
【０００７】
【課題を解決するための手段】
本発明は、上記の課題を解決するために、次のような技術的手段を採る。
【０００８】
即ち本発明は、図１等に示されるように、画板１に図柄輪郭線２が凸段差状に形成され、この図柄輪郭線２で仕切られた平面部３が着色されている浮出し画材を用いた絵画において、上記の図柄輪郭線２が画板１に貼り付けられる屈曲自在の画材４で形成され、この屈曲自在の画材４が上記の平面部３とは異なる色で着色されていることを特徴とする（請求項１）。
【０００９】
ここで画板１とは、絵を描くための板を意味し、通常、木板であるが、本発明はこれに限定されるものではなく、その他例えばプラスチック板や板紙、或いはガラス等の板でも良い。又屈曲自在の画材４とは、手指の力で任意の状態に変形可能な柔軟質の材料を意味し、具体的にはワイヤや紐等がある。この屈曲自在の画材４の太さや断面形状は、任意である。本発明は、図柄輪郭線２の浮き出し（盛り上がり）と着色を利用して画板１にアクセントを付けることができるよう、図柄輪郭線２に塗る色は例えば金色、銀色、黒色、赤色等や、或いは平面部３と補色関係の色が好ましい。
【００１０】
又この場合本発明は、屈曲自在の画材４がワイヤであるのが好ましい（請求項２）。
【００１１】
なぜならワイヤの場合は、形作った図柄輪郭線２の形態を、意識的に手を加えない限り保持でき、紐等による場合に比べ、制作を容易化できるからである。又この場合は、絵の具では表現し切れない、例えば硬質感等の質感を醸し出すことができ、趣きのある作品を提供できるからである。
【００１２】
又本発明の課題を達成する他の構成としては、図３等に示されるように、画板１に図柄輪郭線２が凸段差状に形成され、この図柄輪郭線２で仕切られた平面部３が着色されている浮出し画材を用いた絵画において、上記の図柄輪郭線２が画板１に付着される合成樹脂材７で形成され、この合成樹脂材７が上記の平面部３とは異なる色で着色されていることを特徴とするものがある（請求項３）。
【００１３】
ここで、合成樹脂材７としては、例えばポリエステル、ポリエチレン、ポリプロピレン、塩化ビニル樹脂、ポリウレタン等がある。又ここで、画板１に付着される、とは、溶融状態の合成樹脂材７を柄杓８（図３参照）や、割り箸、竹べら等を用いて画板１に垂らしたり書き付けて付着させるのでも、或いは予め線状や紐状に形成した合成樹脂材７を画板１に貼り付けて付着させるのでも良い、ということを意味する。
【００１４】
【発明の実施の形態】
以下、本発明の好適な一実施形態を添付図面に従って説明する。
【００１５】
図１等において、１はベニヤ板等の木製の画板であり、２はこの画板１に凸段差状に形成された図柄輪郭線である。この図柄輪郭線２で仕切られた平面部３は、着色されている。３ａは、塗布された油絵の具の被膜である。
【００１６】
上記の図柄輪郭線２は、上記の画板１に、屈曲自在の画材４としてのワイヤが接着剤５で貼り付けられることにより形成されている。この屈曲自在の画材４としてのワイヤは、この実施形態では針金が使用され、上記の平面部３とは異なる色で着色されている。４ａは、画材４の表面に塗布された油絵の具の被膜である。
【００１７】
又この実施形態では平面部３に、着色板ガラスの小片６が複数接着されている。この小片６は、この実施形態では雲の雰囲気を醸し出すことができるよう、空を表す平面部３に接着剤５で貼り付けられている。
【００１８】
而して本発明品の製作にあたっては、先ず下絵等に基づいて画板１に、屈曲自在の画材４としての針金を接着剤５で接着し、図柄輪郭線２を形成する。次に平面部３を、緑や青等の任意の色で塗り、その後、画材４を例えば金色等で着色する。又平面部３の適宜位置に、着色板ガラスの小片６を貼り付けて完成する。
【００１９】
次に請求項３記載の本発明の好適な一実施形態を、図３〜図５に従って説明する。上例と同一部材、同一箇所には、同一の符号を付し、詳しい説明は省略する。
【００２０】
この本発明の場合も上例と同様、画板１に図柄輪郭線２が凸段差状に形成され、この図柄輪郭線２で仕切られた平面部３が着色されている。上記の図柄輪郭線２は、上記の画板１に、この実施形態では溶融状の合成樹脂材７が垂らされて付着されることにより形成されている。
【００２１】
上記の合成樹脂材７は、この実施形態ではポリエステルである。この合成樹脂材７は、例えば柄杓８を用いて画板１に垂らされ、硬化後、上記の平面部３とは異なる色で着色されている。７ａは、合成樹脂材７に塗られた油絵の具の被膜である。
【００２２】
而してこの本発明の場合は、図柄輪郭線２の太さや高さ（盛り上がり）を調節できるよう、柄杓８の移動速度や傾斜角度を適宜変えて図柄輪郭線２を形成する。これにより図柄輪郭線２は、断面略半円形状（図４参照）や、断面略段丘状（図５参照）に形成される。この場合、合成樹脂材７を一度垂らした後、その上に再度垂らし、図５に示されるように段差を付けて図柄輪郭線２を多段階状に形成すると、一層、多様な表現が可能になる。
【００２３】
以上の処において、上例では油絵の具を使用する場合であるが、本発明はこれに限定されず、その他例えば水彩絵の具やクレヨン等によるのでも良い。
【００２４】
又本発明の場合、上記の図柄輪郭線２に塗る色は、平面部３の色との兼ね合いで適宜選定されるので良い。この場合図柄輪郭線２は、平面部３と補色関係の色で着色されたり、或いは黒色に着色されると、平面部３との境を浮き立たせることができ、図柄を強調できる。
【００２５】
又本発明は、溶融状の合成樹脂材７が画板１に付着される場合には限られず、線状や紐状に形成された合成樹脂材７が画板１に貼り付けられるのでも良い。但し、図柄輪郭線２が溶融状の合成樹脂材７で形成される場合は、柄杓８等の移動速度などを変えることで、図柄輪郭線２を多種多様な形態に形成できる、という利点がある。
【００２６】
【発明の効果】
以上説明したように本発明は、画板に図柄輪郭線を凸段差状に形成し、図柄輪郭線で仕切られる平面部を着色している絵画において、上記の図柄輪郭線を画板に貼り付ける屈曲自在の画材や、画板に付着させる合成樹脂材で形成し、この屈曲自在の画材や合成樹脂材を、上記の平面部とは異なる色で着色しているものである。
【００２７】
従って本発明品の場合は、輪郭の盛り上がりを、絵の具を大量に使用することなく低コストで形成でき、図柄輪郭線を介して絵に奥行き感や立体感を出したり、モチーフのイメージを強調できる。
【図面の簡単な説明】
【図１】本発明の好適な一実施形態を示し、Ａは正面図、ＢはＡのＢ―Ｂ線における拡大断面図である。
【図２】図１のＩＩ―ＩＩ線における拡大断面図である。
【図３】合成樹脂材を付着させる仕方の一例を示す斜視図である。
【図４】図３のＩＶ―ＩＶ線における拡大断面図である。
【図５】図３のＶ―Ｖ線における拡大断面図である。
【符号の説明】
１　　画板
２　　図柄輪郭線
３　　平面部
３ａ　油絵の具の被膜
４　　屈曲自在の画材
４ａ　油絵の具の被膜
５　　接着剤
６　　小片
７　　合成樹脂材
７ａ　油絵の具の被膜
８　　柄杓
【図１】
2004098476.tif 000003
【図２】
2004098476.tif 000004
【図３】
2004098476.tif 000005
【図４】
2004098476.tif 000006
【図５】
2004098476.tif 000007